(57)【要約】【課題】髪色を変える対象者の希望する肌色の見え方となる髪色の毛髪用品を提供する。【解決手段】髪色を複数とおりに変化させる髪色変化材と、この髪色変化材を用いて対象者の髪色を複数とおりにそれぞれ変化させた際の当該対象者の肌色の見え方の変化を表す肌色の見え方変化情報１１と、を含む毛髪用品。肌色の見え方変化情報１１は、色相または彩度に関しては髪色の変化の方向と肌色の見え方の変化の方向とが同化の関係をもち、明度に関しては髪色の変化の方向と肌色の見え方の変化の方向とが対比の関係をもっている。【選択図】図１
2013005989.tif 000002
【特許請求の範囲】
【請求項１】
髪色を複数とおりに変化させる髪色変化材と、前記髪色変化材を用いて対象者の髪色を複数とおりにそれぞれ変化させた際の当該対象者の肌色の見え方の変化を表す肌色の見え方変化情報と、を含む毛髪用品。
【請求項２】
前記肌色の見え方変化情報は、前記髪色の色相または彩度の変化の方向と、前記肌色の色相または彩度の見え方の変化の方向と、が同化の関係をもって互いに対応づけられた情報を含む請求項１に記載の毛髪用品。
【請求項３】
前記肌色の見え方変化情報は、前記髪色の明度の変化の方向と、前記肌色の明度の見え方の変化の方向と、が対比の関係をもって互いに対応づけられた情報を含む請求項１または２に記載の毛髪用品。
【請求項４】
仕上がりの髪色が互いに異なる複数の染毛剤を含むセットであり、前記複数の染毛剤の１つ以上を選択して用いることにより対象者の髪色の色相、彩度または明度の少なくとも１つを複数とおりに変化させる請求項１から３のいずれか一項に記載の毛髪用品。
【請求項５】
前記肌色の見え方変化情報は、前記髪色変化材の使用量もしくは使用時間または複数の前記髪色変化材の混合割合と、前記肌色の見え方の変化と、が対応づけられた情報を含む請求項１から４のいずれか一項に記載の毛髪用品。
【請求項６】
前記髪色変化材は、仕上がりの髪色の大局的な色相を変化させずに色味を変化させる請求項１から５のいずれか一項に記載の毛髪用品。
【請求項７】
前記髪色変化材が、染毛剤、染毛料、脱色剤、かつら、付け毛、または植毛用毛髪のいずれかである請求項１から６のいずれか一項に記載の毛髪用品。
【請求項８】
前記肌色の見え方変化情報が、同一の肌色を有する顔サンプルにかかる複数の画像または図であり、
前記顔サンプルの髪色が、前記髪色変化材の使用前と使用後の髪色に対応している請求項１から７のいずれか一項に記載の毛髪用品。
【請求項９】
前記肌色の見え方変化情報が、髪色の変化量と、当該髪色の変化量に対応して変化する前記肌色の見え方の変化量と、を表したグラフ、表、数字または文字である請求項１から８のいずれか一項に記載の毛髪用品。
【発明の詳細な説明】
【技術分野】
【０００１】
本発明は、毛髪用品に関する。
【背景技術】
【０００２】
従来、ヘアカラー（染毛）などにより髪色を変化させるにあたり、その仕上がりの髪色が自分に似合うのか、または他人にどのような印象を与えるかを客観的に判断することは困難であった。昨今では、コンピュータや色見本等により髪色を種々に変化させるシミュレーション方法もあるが、髪色の似合いの判断の困難性から、必ずしもユーザの満足が得られるとは限らなかった。
【０００３】
髪色を変化させることに関連する従来の技術としては、たとえば、肌色の系統にマッチする髪色を選定して染毛することで、ユーザの肌色に似合う髪色に仕上げる方法が開示されている（特許文献１参照）。また、２種類のヘアカラーをミックスして染色する場合に、顧客（ユーザ）と美容師の仕上がりの髪色のイメージのギャップを埋めるため、画像シミュレーションを用いて、髪色の仕上がり具合を予め提示する方法も開示されている（特許文献２参照）。特許文献３に関しては後述する。
【先行技術文献】
【特許文献】
【０００４】
【特許文献１】特開２００５−３０４６３７号公報
【特許文献２】特開２００５−２７４９２８号公報
【特許文献３】特開２００５−３３９５２２号公報
【発明の概要】
【発明が解決しようとする課題】
【０００５】
しかしながら、特許文献１または特許文献２に記載の方法を用いても、髪色の変化前に事前に予想した似合いと、髪色の変化後に実際に確認される似合いとは必ずしも一致せず、ユーザが満足する髪色に仕上げることは困難であった。
【課題を解決するための手段】
【０００６】
かかる問題に鑑み、本発明者らが鋭意検討を行った結果、対象者（ユーザ）の髪色を変化させることにより、当該対象者の肌色の見た目の印象（見え方）が変化することが明らかとなった。このため、髪色の変化前の見た目の肌色に基づいて事前に予想した似合いと、髪色の変化とともに見た目の印象が変化した肌色に基づいて実際に確認される似合いとが不一致となっていたことが新たに見出された。そして本発明は、髪色を変化させた際の肌色の見え方の変化を提示することにより、かかる見え方の変化を考慮した似合いの髪色を対象者や美容師等が選択できるようにしたものである。
【０００７】
すなわち、本発明によれば、髪色を複数とおりに変化させる髪色変化材と、前記髪色変化材を用いて対象者の髪色を複数とおりにそれぞれ変化させた際の当該対象者の肌色の見え方の変化を表す肌色の見え方変化情報と、を含む毛髪用品が提供される。
【発明の効果】
【０００８】
本発明によれば、肌色の見え方変化情報を参照することにより、変化後の髪色と、見え方が変化した後の肌色とを対比して似合いを判断することができる。これにより、希望する肌色の見え方となる好適な髪色を選択することができるとともに、髪色の変化前に事前に予想した似合いが精度よく実現される。
【図面の簡単な説明】
【０００９】
【図１】第一実施形態に係る、肌色の見え方変化情報を表示した毛髪用品群を示す概念図である。
【図２】第二実施形態に係る、肌色の見え方変化情報を表示した毛髪用品群を示す概念図である。
【図３】第三実施形態に係る、染毛剤を塗布後の放置時間と髪色の変化量との相関関係を示すグラフ図であり、（ａ）は色相、（ｂ）は彩度、（ｃ）は明度の変化量を示すグラフ図である。
【図４】被験者に両画像の肌色が同じに見えるものを選択してもらう官能評価実験のうち、実験例１に用いた画像の概念図である。
【図５】色相に関して、肌色の見え方情報と髪色の変化量情報との相関関係を示すグラフ図である。
【図６】彩度に関して、肌色の見え方情報と髪色の変化量情報との相関関係を示すグラフ図である。
【図７】明度に関して、肌色の見え方情報と髪色の変化量情報との相関関係を示すグラフ図である。
【発明を実施するための形態】
【００１０】
はじめに、発明者が本発明に至った経緯について説明する。髪色による印象は、似合うか否かだけでなく、肌色の見え方にも影響を与えることは明らかではなかった。このため、髪色による肌色の見え方の変化を、髪色を変化させる対象者、例えば、ドラッグストアや化粧品売り場の顧客が、自身で客観的に判断をすることができる情報を有する毛髪用品は有用と考えられる。しかし、一般的な髪色の変化による肌色の印象変化に与える影響を考慮した毛髪用品は未だ開発されておらず、発明者はこの点に着目して、本発明を完成するに至った。詳細については、後述の色の「官能評価実験」で説明する。
【００１１】
本実施形態の毛髪用品は髪色変化材と肌色の見え方変化情報とを含む。
髪色変化材は、髪色を複数とおりに変化させる手段であり、後述するように毛髪に塗布する剤や頭部に装着する物品が例示される。
肌色の見え方変化情報は、この髪色変化材を用いて対象者の髪色を複数とおりにそれぞれ変化させた際の当該対象者の肌色の見え方の変化を表す情報であり、種々の画像、図、グラフ、色彩、模様、数字もしくは文字、またはこれらの組み合わせが例示される。
【００１２】
そして本実施形態の毛髪用品によれば、髪色変化材によって対象者の髪色を複数とおりに変化させるにあたって、肌色の見え方変化情報を参照することにより、髪色の変化後の肌色の見え方の変化を知ることができる。このため、見え方が変化した肌色と対比して、変化後の髪色の似合いを判断することができる。また、顔の肌色を所望の見え方に変化させることを希望する対象者の場合にも、肌色の見え方変化情報を参照することにより、希望の顔の肌色の見え方が実現される髪色を選択することができる。
【００１３】
ここで、髪色とは、毛髪（頭髪）の見た目の色を意味する。たとえば、黒髪、茶髪、白髪混じりの灰色髪、白髪等、対象者の髪色の見た目の色彩を意味する。
【００１４】
髪色変化材とは、対象者の髪色を複数とおりに変化させる物品を意味する。髪色変化材は、髪色を複数とおりに変化できるものであれば、１つであっても複数で構成されていてもよい。具体的には、１つの髪色変化材の場合、塗布条件（塗布時間や塗布量など）を変えることで複数とおりに髪色を変化させることができるような製品（たとえば脱色剤）を挙げることができる。また、複数で構成された髪色変化材の場合は、仕上がりの髪色が互いに異なる複数の色剤のセットや、複数種の剤の混合割合を変えることで仕上がりの髪色が変化する混合剤を例示することができる。
【００１５】
肌色の見え方とは、毛髪および顔の肌をあわせて目視した場合の、顔の肌色に関する見た目の印象（肌色印象）を意味する。肌色の見え方は、毛髪を含む頭部を目視観察したうえで官能的に評価することができる。肌色は、素顔の肌色であってもよいし、化粧後の肌色であってもよい。
【００１６】
肌色の見え方の変化とは、顔の肌色に関する見た目の印象が変化することであり、色彩科学的な肌色（明度、彩度および色相）が実際に変化する場合と、色の同化や対比などの視覚的効果によって肌色の見た目の印象のみが変化する場合と、を含む。このうち、肌色の見え方変化情報が示す「肌色の見え方の変化」は後者を意味する。
すなわち、肌色の見え方変化情報とは、対象者の髪色を変化させたことに起因して肌色の見た目の印象が視覚的効果によって変化したことを示す情報である。
【００１７】
この視覚的効果について説明する。本発明者らの検討により、頭部を覆う髪色によって顔の肌色の見え方が変化することが明らかとなった。たとえば、ある髪色に変化させた場合、肌色を変えていないのに、肌色の見え方が白っぽく変化したり、逆に黒っぽく変化したりするなど明度の変化が生じる場合がある。同様に、肌色がピンク系に鮮やかに見えたり、逆に黄味がかって見えたりするなど、色相や彩度の変化が生じる場合もある。これは、後述するように髪色と肌色との同化や対比が生じるためである。
【００１８】
具体的な肌色の見え方変化情報としては、髪色の変化と肌色の見え方の変化を対応づけた顔を模した絵、顔写真等であってもよい。これらに加えて、または単独で、髪色の変化と肌色の見え方の相関関係を示すグラフ、チャート、図または表などが含まれていてもよい。なお、この肌色の見え方変化情報は、毛髪用品の収納容器や収納パッケージの表面に表示してもよいし、使用説明書などに記載して毛髪用品の収納パッケージ内に収納してもよいし、使用説明書とは別個に作成して収納してもよい。
【００１９】
また、肌色の見え方変化情報は、美容院や店舗等の商品陳列棚や対象者の座る席等に、冊子、ポスター等の一覧表、ポップ等として表示してもよい。また、同一の複数商品または異なる種類の複数の商品を同一の段ボールや収納ケース等に梱包した際は、これらの表面に表示してもよい。または、ＤＶＤ再生機器やデジタルフォトフレーム等の映像機器を使用して表示する、コンピュータ等に、髪色の変化量とこれに対応した肌色の見え方変化情報を表示するプログラムを組み込んで表示する、等としてもよい。このような表示により、毛髪用品の購入または選択前に、髪色変化に対する肌色の見え方変化を、より明確に認識することができる。なお、肌色の見え方変化情報は、複数の毛髪用品を出荷する際の収納ケースや段ボール等に表示してもよいし、宣伝用、広告用チラシやダイレクトメール等に表示してもよい。また、インターネット等のコンテンツとして表示してもよく、これらを参照して、対象者が髪色番号を控えて店頭や美容院に行って指定することができる。さらには、インターネット販売にも利用することで、購入者のイメージしていた髪色の変化および肌色の見え方の変化と、購入後に実際に使用した際の髪色の変化および肌色の見え方の変化とのギャップを少なくして、高評価が得られる毛髪用品を提供することができる。なお、パッケージ、取り扱い説明書、ポップ等の紙やプラスチック媒体の場合は、映像機器コンピュータのない環境、状況であっても、髪色の変化に応じた肌色の見え方を表示できる毛髪用品を提供することができる。一方、コンピュータや映像機器を用いた場合は、よりリアルに、髪色の変化とこれに対する肌色の見え方を認識できる毛髪用品を提供することができる。
【００２０】
ここで、毛髪用品に重要な色の三属性について説明する。色の三属性には、色相、彩度、明度があり、これらが変化することで、色が変化する。また、色の三属性と色の変化とには、「同化」または「対比」の関係がある。ここでは、「同化」とは、色の属性の変化と正の相関をもって色が変化して見えることを意味し、「対比」とは、色の属性の変化と負の相関をもって色が変化して見えることを意味する。この色の三属性と肌色の見え方との同化または対比の関係の詳細は「官能評価実験」において後述するが、色相および彩度については、髪色の変化の方向と肌色の見え方の変化の方向とが同化の関係にあることを発明者らは知見した。一方、明度については、髪色の変化の方向と肌色の見え方の変化の方向とが対比の関係にあることを発明者らは知見した。したがって、この知見に基づいて、髪色の色相、彩度または明度を変化させることにより、肌色の見え方を対象者らが希望するとおりに変化させることができる。
【００２１】
すなわち、本実施形態における肌色の見え方変化情報は、髪色の色相または彩度の変化の方向と、肌色の色相または彩度の見え方の変化の方向と、が同化の関係をもって互いに対応づけられた情報を含む。
【００２２】
そして、本実施形態における肌色の見え方変化情報は、髪色の明度の変化の方向と、肌色の明度の見え方の変化の方向と、が対比の関係をもって互いに対応づけられた情報を含む。
【００２３】
毛髪用品とは、髪色変化材によって髪色を変化させるものである。この髪色変化材は、特に限定されるものではないが、例えば、染毛剤、染毛料、脱色剤など、毛髪に直接塗布する剤であってもよい。この場合、毛髪全体に塗布するものであってもよいし、毛髪の一部のみに塗布するものであってもよい。染毛剤は、いわゆる医薬部外品であり、たとえば、おしゃれ染め用ヘアカラー、白髪染め用ヘアカラー等の永久染毛剤が挙げられる。髪色の色素を除去して髪色を変化させるヘアブリーチ等の脱色剤、脱染剤等も、染毛剤の一種である。染毛料は、いわゆる化粧品であり、たとえば、ヘアマニキュアやカラーシャンプー、カラーリンス等の半永久染毛料、カラースプレー、カラースティック等、一時的に染毛してシャンプー等で洗い流せる一時染毛料等が挙げられる。
【００２４】
その他にも、毛髪用品として、頭部全体に装着するかつら、半かつら等の頭部の一部に装着するかつら、付け毛、植毛用毛髪など、頭部に装着する物品であってもよい。かつら等の場合、実際に試着することなく、肌色の見え方情報に基づいて髪色と肌色との似合いを判断することができるため有効である。すなわち、試着による衛生上の問題がなく、またインターネットショッピングまたはカタログショッピング等で試着ができない場合であっても、ユーザが希望する似合いの髪色を選択することができる。
【００２５】
以上、染毛剤等の塗布製品、かつら等の装着製品のいずれの場合でも、髪色の変化と対応づけられた肌色の見え方変化情報に基づいて、対象者が毛髪用品を使用した際の変化後の髪色および肌色の見え方についての印象に対してギャップを感じることを防ぐことができる。そのため、当該髪色に変化させた場合の肌色の見え方の変化を容易に認識することができ、対象者等に対して、希望する肌色の見え方となる製品を選択的に用いることができる毛髪用品を提供することができる。
【００２６】
＜第一実施形態＞
まず、図１を用いて、本発明の第一実施形態の毛髪用品の概要について説明する。図１は第一実施形態にかかる複数の毛髪用品を示す図である。本実施形態では、毛髪用品として、ヘアカラー等の染毛剤を用いた例を示している。
【００２７】
図１に、商品１、商品２・・・と示したものは、髪色変化材（染毛剤１０）をそれぞれパッケージした毛髪用品（毛髪用品群２０）である。各商品のパッケージの内部には、染毛剤１０として、１つの色剤または混合して使用するための２以上の色剤がチューブなどに封入された状態で収納されている（図示せず）。本明細書では、このような複数種の染毛剤１０を毛髪用品群２０と呼ぶ。本実施形態の毛髪用品は、このように毛髪用品群２０として陳列および販売するものであってもよい。また、本実施形態に代えて、単品で髪色を複数に変化させることができる染毛剤１０の場合は、当該単品のみを陳列および販売するものであってもよい。
【００２８】
すなわち、本実施形態の毛髪用品（毛髪用品群２０）は、仕上がりの髪色が互い異なる複数の染毛剤１０を含むセットである。そして、これらの複数の染毛剤１０の１つ以上を選択して用いることにより対象者の髪色の色相、彩度または明度の少なくとも１つを複数とおりに変化させることができる。
【００２９】
より具体的には、本実施形態の髪色変化材（染毛剤１０）は、仕上がりの髪色の大局的な色相を変化させずに色味を変化させるものである。たとえば、商品１は茶色（ブラウン系）の髪色を維持したままで黄味を強くし、商品２は茶色（ブラウン系）の髪色を維持したままで赤味を強くする。このように、対象者のナチュラルな髪色を残しながら、その色味を微調整することで、肌色の見た目の印象における赤味または黄味を強くすることができる。
【００３０】
ここで、大局的な色相とは、色相を数段階から数十段階程度の基本色に区分し、この基本色のそれぞれに関して彩度および明度を更に数段階から数十段階程度に区分した場合の個々の色をいう。基本色としては、赤、黄、緑、青、紫の五段階を例示することができる。このほか、赤、黄赤、黄、黄緑、緑、青緑、青、紫青、紫、赤紫の十段階を基本色として設定してもよい。そして、色味とは、かかる大局的な個々の色における基本色の色合いの強さをいう。
【００３１】
なお、茶色の色相はオレンジ（黄赤）である。言い換えると、オレンジの彩度および明度を低減したものが茶色である。そして、茶色の明度をさらに低減していくことで、いわゆる黒髪の色彩に近づいていく。よって、黒や茶の髪色の基本色は黄赤である。このため、黒または茶色の頭髪の場合、黄味または赤味の調整により、元の髪色の大局的な色相を変化させずに自然な色合いの髪色に変化させることができる。
【００３２】
髪色変化材（染毛剤１０）の使用条件としては、染毛剤１０の使用量や使用時間、または染毛剤１０が２以上の色剤からなる場合にはそれらの混合割合などが挙げられる。そして、図１に示すように、商品のパッケージの表面に、肌色の見え方変化情報１１が表示されている。見え方変化情報１１は、髪色変化材（染毛剤１０）を用いて対象者の髪色を複数とおりにそれぞれ変化させた際の当該対象者の肌色の見え方の変化を表す情報である。一つの商品１、商品２・・・には、この髪色変化材（染毛剤１０）と肌色の見え方変化情報１１が組み込まれている。
【００３３】
すなわち本実施形態の肌色の見え方変化情報１１は、髪色変化材（毛髪用品）の使用量もしくは使用時間（放置時間）または複数の髪色変化材（染毛剤１０）の混合割合と、肌色の見え方の変化と、が対応づけられた情報を含む。
【００３４】
より具体的には、本実施形態の肌色の見え方変化情報１１は、髪色を変化させたい対象者の現在の大局的な色相ごとに、染毛剤１０の使用による髪色の変化と、視覚的効果によって変化する肌色の見え方と、が対応づけられた顔写真である。本実施形態では、大局的な色相として、黄赤の色相の彩度を低減した黒色、茶色、灰色および白色の４色を例示している。大局的な色相の数は、２から２０程度とすることができる。本実施形態の肌色の見え方変化情報１１は、色剤による染色時間や色剤の混合割合によって、対象者の元の髪色が複数とおりに変化する状態が示されている。そして、見え方変化情報１１は、髪色の変化に伴って肌色の見え方がどのように変化するかを示す肌色の見え方変化情報１１ａ〜１１ｄが表示されている。一例として、毛髪に染毛剤１０を塗布してからの放置時間に対応して、上記４色の髪色が、その大局的な色相を維持したまま色味が変化する状態と、そのときの肌色の見え方の変化とが対応づけて表示されている。
【００３５】
なお、本実施形態に代えて、複数の色剤を含む染毛剤１０の場合は、色剤どうしの混合割合に対応して、髪色の変化と肌色の見え方の変化とを対応づけて表示するものでもよい。また、塗布量に応じて髪色が変化する染毛剤１０である場合には、肌色の見え方変化情報１１として、染毛剤１０の塗布量と髪色の変化とを対応づけ、さらに髪色の変化と肌色の見え方の変化とを対応づけて表示するものでもよい。
【００３６】
また、本実施形態の肌色の見え方変化情報１１は、同一の肌色を有する顔サンプルにかかる複数の画像または図である。より具体的には、典型的な日本人女性の顔サンプルに関する画像を見え方変化情報１１として用いている。そして、顔サンプルの髪色は、髪色変化材の使用前と使用後の髪色に対応している。そのため、染毛剤１０の使用前と使用後のモデルの肌色も日本人の平均的な色であって同一の肌色である。この同一人のモデルの顔サンプルに、使用前の髪色（上記した黒色等）を模した頭髪を配置し、これに対応して、矢印で示すように、同モデルの顔サンプルに、染毛剤１０を使用後の髪色を模した頭髪を配置した顔写真を表示している。
【００３７】
なお、モデルの顔サンプルは、本実施形態のように実際の人物の写真（画像）もしくは顔を模した図であってもよく、または顔模型等の写真もしくは図であってもよい。このほか、肌色の見え方変化情報１１は、髪色の変化量と、当該髪色の変化量に対応して変化する肌色の見え方の変化量と、を表したグラフ、表、数字または文字（数式を含む）であってもよい。さらに、肌色の見え方変化情報１１は、上記の画像もしくは図と、グラフ、表、数字もしくは文字と、を組み合わせたものでもよい。
【００３８】
上記の毛髪用品群２０について、肌色の見え方変化情報１１に基づいて染毛剤１０を選択する手順の１つを具体的に例示する。まず、髪色を変化させたい対象者が、たとえば、赤色の髪色に変化させたいと希望し、該当する商品１、商品２・・・のうち商品１を選択した場合について説明する。他の色相にて毛髪の彩度または明度を変化させる場合は、他の商品を選択する。対象者は、商品１に表示された肌色の見え方変化情報１１を参照する。ここで、当該肌色の見え方変化情報１１には、元の髪色が黒色だった場合の髪色の変化と肌色の見え方の変化バリエーション１１ａに加えて、茶色の同バリエーション１１ｂ、灰色の同バリエーション１１ｃ、および、白色の同バリエーション１１ｄが表示されている。
【００３９】
当該対象者は、自身の現在の髪色が黒色系だった場合、本商品１の黒髪のバリエーション１１ａを参照することにより、髪色を変化させると、肌色の見え方がどのように変化するかを認識することができる。そして、当該対象者は、たとえば、図１に符号１１ａ３で示される髪色と肌色の見え方が、希望するものと合致する場合、当該髪色となる放置時間、混合割合、塗布量等を参照して、商品１を用いる。これにより、対象者は希望する髪色と肌色の見え方を得ることができる。このように、満足度の高い染毛剤１０を提供することができる。
【００４０】
上記具体例は、ともに同一のモデルの顔サンプルを用いているため、対象者等は、自身の髪色から染毛後の髪色の変化量と肌色の見え方の変化を客観的に認識できる。すなわち、同じ染毛剤１０を使用しても、対象者の現在の髪色の違いにより、髪色と肌色の見え方がどのように変化するか、または、現在の自分の髪色に対してそれぞれの染毛剤１０を使用した際の髪色と肌色の見え方が、染毛剤１０の種類によってどのように変化するか等を、一目瞭然に認識することができる。このように、本実施形態では、希望する髪色と肌色の見え方とを対応づけて、適切に選択できる染毛剤１０（毛髪用品）や毛髪用品群２０を提供することができる。
【００４１】
以上、本実施形態では、染毛剤１０の使用前の髪色を、基本的な黒色、茶色、灰色、白色の４色にしている。これらの４色の色相は、いずれも黄赤である。しかし、厳密に無彩色の髪色は存在せず、黒色系のうちでも特に日本人の髪色は多少茶色味を帯びている傾向がある。また、茶色でも、暗い茶色から明るい茶色まで個人差があり、灰色でも、白髪と黒髪との割合によって、個人により灰色の濃度が違う、など、バリエーションに富んでいる。したがって、パッケージの表面には、基本的な４色の髪色についての肌色の見え方変化情報のみを表示しておく。これとは別に、基本の４色の髪色を、さらに複数に色分けし、これらに対応して、染毛剤１０の使用後の髪色の変化と肌色の見え方の変化とを表示した、より詳細な肌色の見え方変化情報を有していてもよい。この詳細な肌色の見え方変化情報は、パッケージ内に収納してもよい。または、商品の小売店舗における毛髪用品群２０の陳列棚付近や、美容院の陳列棚付近または美容施術用の座席付近等に、冊子として配置したり、ポスターやポップとして展示したりしてもよい。これにより、対象者等が商品のパッケージを開封しなくても、希望する肌色の見え方となる毛髪用品を選択または指定することができる。このような詳細な肌色の見え方情報を用いることにより、対象者の現在の髪色に対応した変化後の髪色を的確に把握することができる。さらには、希望の肌色の見え方となる染毛剤１０を選択する際のバリエーションが広がり、対象者に最適な染毛剤１０を提供することができる。
【００４２】
さらに、本実施形態では、日本人の平均的な同一の肌色で同一人のモデルの顔サンプルを用いている。また、髪型も同一である。しかしながら、肌色も、日本人であっても、色白の肌色、ピンクの肌色、黄色の肌色、浅黒い肌色等、個人差がある。したがって、染毛剤１０の使用前の髪色が同じであっても、色白の肌色の人が使用すると、肌色の見え方が良好であるが、浅黒い肌色の人が使用した場合に、肌色が浮いて見えて違和感がある、などの差が生じることがある。また、肌色と髪色が多様な場合などで、さらに肌色の見え方のバリエーションが広がる。したがって、本実施形態の変形例として、同一人のモデルであって、肌色を複数パターンに変えた顔サンプルを用いてもよい。そして、それぞれの肌色の顔サンプルに、染毛剤１０の使用前の髪色を模した頭髪を配置したモデルの写真等と、同肌色の顔サンプルに、染毛剤１０の使用後の髪色を模した頭髪を配置した写真等とを表示した、肌色の見え方情報としてもよい。この肌色の中から、対象者の肌色と髪色に最も近いサンプルを選択し、髪色変化後の肌色の見え方を取得する。本変形例のように、豊富なバリエーションの肌色を用いることにより、いずれの肌色の対象者であっても、個人に対応した好適な髪色と肌色の見え方となる染毛剤１０等の毛髪用品を提供することができる。
【００４３】
また、他の異なる変形例として、肌色の見え方変化情報に使用する顔サンプルが、対象者自身の顔や、顔の画像情報であってもよい。たとえば、髪色変化材の使用前の髪色に対応する髪色サンプルの顔部分の孔と、髪色変化材の使用後の髪色サンプルの顔部分の孔とを開口した顔型パネルを用意してもよい。または、使用前の髪色に髪色変化材の使用後の髪色のシート等を重ねるものであってもよい。その際に、実物大の顔型パネルなどを使用した場合等は、各孔に対象者の顔そのものを顔サンプルとして配置し、鏡等で確認できるようにしてもよい。また、パッケージに小さな孔を開口する等、顔型パネルが小型の場合、当該顔側にプリントした顔写真やデジタル画像等を顔サンプルとして配置するようにしてもよい。これにより、髪色を変えた際の対象者の肌色の見え方の変化を、よりリアルに認識することができる。この場合、対象者自身の顔サンプルは使用前、使用後とも同じもの、つまり、同じ肌色のものを使用する。そして、毛髪用品の使用前と使用後とを比較することにより、肌色を変えなくても、髪色を変化させるだけで、肌色の見え方が変化することを対象者に一目瞭然に認識させることが可能な毛髪用品を提供することができる。
【００４４】
上記顔サンプルの画像情報は、デジタルカメラや携帯電話等のモバイル機器のカメラや、や分光光度計等の測色器や色差計などで撮った対象者の顔の画像情報などが挙げられる。なお、前述したように、コンピュータを使用して当該方法を行う際には、特に有効である。また、プリントされた顔写真が顔サンプルである場合は、そのまま使用してもよいし、写真をスキャナ、デジタルカメラ、携帯電話等のモバイル機器のカメラ等で取り込んでコンピュータに入力してもよい。
【００４５】
また、上記実施形態では、肌色の見え方変化情報は、髪色の変化前と変化後のモデルの顔写真や顔サンプルを表示しているが、本発明がこれに限られるものではない。たとえば、髪色変化前の対象者の髪色を変化させた際の当該髪色の変化量と、当該髪色の変化量に対応して変化する肌色の見え方の変化量とを表したグラフまたは図表をさらに有していてもよい。また、必ずしもパッケージ等、外部から視認できるものに限らず、個々のセット商品が収納されたパッケージや複数のパッケージが収納された収納ケース、段ボール等に表示または収納されていてもよい。
【００４６】
以上の変形例は、以下の各実施形態においても適宜に用いることができる。
【００４７】
＜第二実施形態＞
次に、図２を用いて、第二実施形態の詳細について説明する。図２は第二実施形態にかかる複数の毛髪用品を示す図である。本実施形態でも、毛髪用品として、ヘアカラー等の染毛剤を用いた例を示している。
【００４８】
図２に、商品Ａ、Ｂ、Ｃ、Ｄ等と示したものは、毛髪用品としての染毛剤１０である。本実施形態の商品Ａは赤系の茶色（赤味の強い茶色）、商品Ｂはオレンジ系の茶色（彩度の高い茶色）、商品Ｃは黄色系の茶色（黄味の強い茶色）、商品Ｄはアッシュ系の茶色（彩度の低い茶色）、などのように色別に陳列されている。アッシュ系とはカラードグレイを意味し、元の髪色の彩度を低減するような髪色の変化方向をいう。また、上記では例示していないが、マット系とは、元の髪色の明度と彩度を低減するような髪色の変化方向をいう。これらの複数種の染毛剤１０も、第一実施形態と同様に毛髪用品群２０と呼ぶ。
【００４９】
本実施形態でも、各染毛剤１０のパッケージ内には、図示はしないが、１つの色剤または混合して使用するための２以上の色剤が収納されている。上記したように、本実施形態の商品Ａ〜Ｄは、同じ茶系であるが、赤系、オレンジ系、黄色系、アッシュ系といったように、色相が少しずつ異なる染毛剤１０が複数個ずつ陳列された毛髪用品群２０である。そして、図２に示すように、パッケージの表面に、肌色の見え方変化情報１１が表示されている。肌色の見え方変化情報１１は、本実施形態では髪色を変化させたい対象者の現在の髪色（例えば、黒色、茶色、灰色、白色）によって、染毛剤１０の使用後の髪色の変化および肌色の見え方の変化が対応づけられた顔写真が表示されている。
【００５０】
また、本実施形態でも、肌色の見え方変化情報１１として、同一の肌色を有する顔サンプルにかかる複数の画像または図を用いているが、本実施形態でもこれに限定されるものではない。第一の実施形態の変形例と同様のものを用いることができる。
【００５１】
本実施形態の毛髪用品群２０について、肌色の見え方変化情報１１に基づいて染毛剤１０を選択する手順を３つ具体的に例示する。まず、１例目としては、髪色を変化させたい対象者が、たとえば、赤系の茶色の髪色に変化させたいと希望し、該当する商品Ａを単独で選択した場合について説明する。対象者は、商品Ａに表示された肌色の見え方変化情報１１を参照するが、当該対象者は、自身の現在の髪色が灰色だった場合、本商品Ａを用いることにより、髪色が、矢印で示した下段の髪色に変化することを認識することができる。さらに、このように、使用前と使用後との顔サンプルを並べて表示することにより、髪色を変化させた場合の肌色の見え方を、一目瞭然に認識することができる。
【００５２】
次に、２例目として、毛髪用品群２０の中から、髪色を変化させたい対象者が、変化後の髪色は特に限定しておらず、希望する肌色になる髪色を選択したいと考えている場合について説明する。たとえば、対象者の髪色が黒髪だった場合、図２に点線で示したように、毛髪用品群２０の各々の染毛剤１０の黒髪時の使用前使用後の変化情報１００ａ、１００ｂ、１００ｃ、１００ｄ等が当該対象者にとっての髪色の変化に対する肌色の見え方変化情報１１ａとなる。したがって、対象者は毛髪用品群２０の黒髪の肌色の見え方変化情報１１ａの使用前使用後の変化情報１００ａ、１００ｂ、１００ｃ、１００ｄ等を参照して、希望する肌色（たとえば、色白に見える、健康的に見える等）になる染毛剤１０を選択することができる。このように、髪色を変化させたい対象者等が、希望する肌色の見え方に対応した染毛剤１０を選択することが、容易にできるような毛髪用品を提供することができる。
【００５３】
また、３例目として、対象者が最初は黄味の強い茶色を選択しようとしていたが、当該対象者が現在の髪色に対応する肌色の見え方変化情報（たとえば、肌色の見え方変化情報１１ａの使用前使用後の変化情報１００ａ、１００ｂ、１００ｃ、１００ｄ等）を参照する。これにより、結果的に赤味の強い茶色のほうが肌色の見え方がピンク色に近くなって、生き生きと見えると感じたため、結果的に赤味の強い茶色を選択した。このように、対象者の選択のバリエーションが増え、最適な製品を迅速に提供することができる。
【００５４】
対象者（ユーザ）の髪色の色相の大局的な傾向の希望が、たとえば赤色の髪色にしたい、茶色の髪色にしたい、黄色の髪色にしたいなどと予め決まっていれば、あとは、その色味の強さ、および彩度と明度との一方または双方を変化させることにより、髪色を多様に変化させることができる。これにより、たとえば赤色の髪色にしたい対象者は、赤色の毛髪用品についての肌色の見え方変化情報のみ参照すればよく、希望する赤色バリエーションの髪色の中で、希望する肌色の見え方となる髪色を選択することができる。
【００５５】
上記３つの具体例は、第一実施形態と同様に、ともに同一のモデルの顔サンプルを用いているため、対象者等は、自身の髪色から染毛後の髪色の変化量と肌色の見え方の変化を客観的に認識できる。すなわち、同じ染毛剤１０を使用しても、対象者の現在の髪色の違いにより、髪色と肌色の見え方がどのように変化するか、または、現在の自分の髪色に対してそれぞれの染毛剤１０を使用した際の髪色と肌色の見え方が、染毛剤１０の種類によってどのように変化するか等を、一目瞭然に認識することができる。このように、本実施形態では、希望する髪色と肌色の見え方とを対応づけて、適切に選択できる染毛剤１０（毛髪用品）や毛髪用品群２０を提供することができる。
【００５６】
＜第三実施形態＞
次に、図３（ａ）〜（ｃ）を用いて、第三実施形態について説明する。図３各図は第三実施形態にかかる毛髪用品の、染毛剤を塗布後の放置時間と髪色の変化量との相関関係を示すグラフ図である。同図（ａ）は放置時間と髪色の色相（Ｈ）の変化量との相関関係を示し、同図（ｂ）は放置時間と髪色の彩度（Ｓ）の変化量との相関関係を示し、同図（ｃ）は放置時間と髪色の明度（Ｖ）の変化量との相関関係を示している。なお、髪色の色相（Ｈ）は０から３６０で周期的に表現する。０（＝３６０）が赤に相当し、黄赤、黄、黄緑・・・が正の方向、赤紫、紫、紫青・・・が負の方向にあたる。彩度（Ｓ）と明度（Ｖ）は０から１００で表現している。
【００５７】
染毛剤のように、髪色変化材の対象者の毛髪への塗布により髪色を変化させる毛髪用品の場合、髪色変化材の塗布時間（放置時間）の長さにより、髪色が変化するものが存在する。言い換えると、髪色変化材によっては、その放置時間と髪色の変化量とが相関する。したがって、放置時間と髪色の変化量との相関関係（図３各図を参照）を表す放置時間情報を肌色の見え方変化情報に含めることで、放置時間と肌色印象の変化量とが対応づけられる。なお、具体的な放置時間情報としては、放置時間と髪色の変化量との相関関係を表すテーブルや関数などを挙げることができる。
【００５８】
そして、放置時間情報を含む肌色の見え方変化情報を参照して、対象者の希望の肌色の見え方の髪色となるための放置時間を読み取り、染毛剤の塗布後に、当該放置時間だけ放置するとよい。これにより、対象者の希望の肌色の見え方となる髪色とすることができる。このように、本実施形態では、同一の毛髪用品を使用しても、色合いに濃淡が出る、風合いが変化する等、髪色の変化量を調整することができ、一つの製品で希望の髪色に変化させ、希望の肌色の見え方となる毛髪用品を提供することができる。このように、肌色の見え方変化情報は、必ずしも顔写真その他の顔サンプル等ではなく、グラフや図表であってもよい。
【００５９】
本実施形態をより詳細に説明する。元の髪色が黒色や茶色など無彩色に近い場合、染毛剤によって頭髪をカラーに染毛すると、図３（ｂ）に示すように彩度（Ｓ）は放置時間に対して値が単調増加するように変化する。これに対し、色相（Ｈ）と明度（Ｖ）は放置時間に対して単調変化するとは限らない（図３（ａ）および（ｃ）を参照）。メラニンの脱色反応による明度（Ｖ）の増加と、染料のカップリング反応による色相（Ｈ）の変化が同時に進行するためである。なお、染料の種別と染毛前の髪色によっては、色相（Ｈ）、彩度（Ｓ）、明度（Ｖ）の各値は、染毛前よりも減少方向に変化する場合もある。
【００６０】
したがって、本実施形態の放置時間情報は、対象者の元の髪色および染毛剤に含まれる染料の種別ごとに用意することが好ましい。本実施形態では、対象者が希望する髪色の変化の傾向（赤系、オレンジ系、黄色系、アッシュ系など）に従って染毛剤（染料の種別）を決定し、これと対象者の元の髪色とに基づいて放置時間情報（テーブルまたは関数）を選択する。
そして、対象者が希望する髪色変化量に対応する放置時間を読み取ったうえで、染毛剤の塗布後に当該時間だけ実際に放置し、そののちに染毛剤を洗浄除去するとよい。これにより、対象者の髪色が所定に変化し、それに伴って肌色印象が所望に変化することとなる。
【００６１】
また、黒色系など明度（Ｖ）が低い髪色の対象者が、髪色の明度（Ｖ）を増加させて対比効果により顔の肌色印象の明度を下げることを希望した場合には、髪にヘアブリーチ等の脱色剤を塗布するとよい。具体的には、脱色剤の濃度および塗布量を所定に選択して髪に塗布して放置することにより、髪を黒色系から黄赤に近づける。これにより、髪色の明度（Ｖ）は増大する。そして、髪色の明度変化との対比効果により、顔の肌色印象の明度は低下する。
【００６２】
なお、本実施形態では、塗布時間を調整することにより髪色を変化させているが、本実施形態の変形例として、染毛剤の塗布量を調整することによって、髪色を変化させるものであってもよい。この場合、この塗布量と髪色の変化量とその変化量に対する肌色の見え方の変化のグラフ図や図表等が、肌色の見え方変化情報となる。塗布による毛髪用品としては、染毛剤の他に、ヘアマニキュア等の染毛料、ヘアブリーチ等の脱色剤等が挙げられる。これらの場合でも、塗布量や塗布時間を調整することにより、髪色を変化させ、この髪色の変化に伴って、対象者の希望する肌色の見え方にすることができる。
【００６３】
また、本実施形態の変形例として、髪色変化材が、さらに複数種の色剤からなり、当該複数種の色剤の混合割合によって髪色を変化させる毛髪用品であってもよい。この場合、混合割合と、髪色の変化量との相関関係を示すグラフ図や図表等の混合割合情報をさらに有していてもよい。そして、髪色の変化量に対応する肌色の見え方情報を参照して、対象者の希望の肌色の見え方の髪色を決定する。次に、当該髪色となるための色剤の混合割合を、混合割合情報から抽出し、当該混合割合で色剤を混合した毛髪用品を塗布する。このように混合した毛髪用品の塗布により髪色が変化することで、対象者の希望する肌色の見え方となる毛髪製品を提供することができる。または、色剤の混合割合と髪色の変化量との相関関係を示すグラフ図や図表と、髪色の変化量に対する肌色の見え方の変化のグラフ図や図表等を、肌色の見え方変化情報としてもよい。
【００６４】
また、他の異なる変形例として、髪色変化材が、複数種の色剤からなり、当該複数種の色剤の混合割合によって、髪色の色相、彩度、および、明度のうち、少なくとも１つが変化するような毛髪用品であってもよい。この場合、髪色の変化量と、混合割合との相関関係を示すグラフ図や表等の混合割合情報は、三属性のうち、色相、彩度、または、明度の１つを変化させるような色剤の混合割合を示したものであってもよい。また、２つの属性を変化させるような色剤の混合割合を示したものであってもよい。さらには、３つの属性すべてを変化させられるような色剤の混合割合を示した、色立体モデルのようなものであってもよい。いずれの場合でも、髪色の変化量と対応する肌色の見え方情報を参照して、対象者の希望する肌色の見え方に対応する髪色を決定する。次に、当該髪色となる混合割合を、混合割合情報から抽出し、当該混合割合で色剤を混合した染毛剤等を塗布する。これにより、対象者の希望の肌色の見え方となる髪色とすることができる。または、相関関係を示すグラフ図や図表、色立体モデルを肌色の見え方変化情報そのものとしてもよい。
【００６５】
また、他の変形例として、髪色のうち色相を変えず彩度と明度とのいずれかを変化させる髪色変化材の場合は、肌色の見え方変化情報として、前記髪色の変化と、変化した当該髪色とした場合の肌色の見え方の変化と、を対応づけた情報であってもよい。
【００６６】
以上を総合して、本実施形態の肌色の見え方変化情報には、髪色変化材の使用量もしくは使用時間または複数の髪色変化材の混合割合と、肌色の見え方の変化と、が対応づけられた情報を含めてもよい。
【００６７】
＜官能評価実験＞
次に、本発明をするに至った官能評価実験について説明する。本実験により、髪色を変化させることで顔の肌色の見え方が変化することが定性的に確認され、また髪色の変化量に対応する肌色の見え方変化情報の定量化を実現した。
【００６８】
（実験例１）
（１）髪色を変化させた画像（髪色変化画像）の作成
まず、基準画像の顔の肌色を変えず、髪色を複数とおりに変化させた複数の画像を作成した。具体的には、サンプル提供者の顔のフルカラーの基準画像（デジタル画像）を用意し、この基準画像において、毛髪の領域を指定した。次に、当該毛髪領域の平均の色相（Ｈ）を０から３６０で周期的に表現し、また彩度（Ｓ）と明度（Ｖ）を０から１００で表現した。さらに、毛髪領域の色の三属性の値をそれぞれ変化させた髪色変化画像を作成した。毛髪の領域の指定および当該領域の色の三属性の変化は、上記の特許文献３に記載された方法を用いて行うことができる。
【００６９】
作成結果を以下の表１に示す。なお、明度については、基準画像よりも明度が高くなることを正（プラス）とし、明度が低くなることを負（マイナス）と表現している。また、彩度については、基準画像よりも彩度が高くなることを正（プラス）とし、彩度が低くなることを負（マイナス）と表現している。また、色相については、基準画像よりも髪色に黄味を帯びさせることを、色相を高くすると表現し、色相の正（プラス）方向とする。逆に、基準画像よりも髪色に赤味を帯びさせることを、色相を低くすると表現し、色相の負（マイナス）方向とする。
【００７０】
【表１】
2013005989.tif 000003
【００７１】
（２）肌色を変化させた画像（肌色変化画像）の作成
つぎに、基準画像の髪色を変えず、顔の肌色を以下のように複数とおりに変化させた複数の肌色変化画像を作成した。肌領域の指定および当該領域の色の三属性の変化についても、上記の特許文献３に記載された方法を用いて行うことができる。
（２−１）色相
（１）で用いたものと同じ基準画像において、予め顔の肌領域を指定しておき、当該肌領域の平均の色相（Ｈ）を、以下の表２に示すように、基準画像からそれぞれ１．０刻みに１０通りに変化させた画像を作成した。彩度および明度は一定とした。
【００７２】
【表２】
2013005989.tif 000004
【００７３】
（２−２）彩度
（１）で用いた基準画像において、予め顔の肌領域を指定しておき、当該肌領域の平均の彩度（Ｓ）を、以下の表３に示すように、基準画像からそれぞれ０．２５刻みに１０通りに変化させた画像を作成した。色相および明度は一定とした。
【００７４】
【表３】
2013005989.tif 000005
【００７５】
（２−３）明度
（１）で用いた基準画像において、予め顔の肌領域を指定しておき、当該肌領域の平均の明度（Ｖ）を、以下の表４に示すように、基準画像からそれぞれ０．６５刻みに１０通りに変化させた画像を作成した。色相および彩度は一定とした。
【００７６】
【表４】
2013005989.tif 000006
【００７７】
（３）官能評価実験
図４は、前述の（１）で作成した髪色変化画像と、前述の（２）で作成した肌色変化画像と、を対比可能に並べて配置した評価試験画像の模式図である。かかる評価試験画像を、美容専門家（美容師）である５人の被験者に視認させ、両画像の肌色が同じに見えるものを選択させる官能評価実験を行った。具体的には、図４中の（１）〜（ｎ）までの図は、表１に示した髪色明度＋４の画像および髪色明度−４の髪色変化画像（２通り：図４の左側）と、表４に示した肌色明度変化１〜１０の肌色変化画像および基準画像（計１１通り：図４の右側）と、を個別に組み合わせて配置した２２通りの評価試験画像である。上述のように、髪色変化画像は肌色を不変として髪色のみを変化させた画像の群であり、肌色変化画像は髪色を不変として肌色のみを変化させた画像の群である。
【００７８】
そして、上記の５人の被験者に２２通りの評価試験画像を目視させ、対比される二枚の画像において肌色が同じに見えるものを選択させた。すなわち、髪色の明度を変化させた髪色明度＋４または髪色明度−４の画像において目視される肌色の見え方が、基準画像における肌色の見え方と同じであるか、または肌色の明度を変化させた肌色変化画像の肌色のいずれかと同等の見え方になるか、を調査した。
【００７９】
また、色相に関しても同様に、基準画像の髪色の色相のみを＋１０または−１０に変化させた髪色変化画像（表１：２通り）と、同じく基準画像の顔の肌色の色相のみを変化させた肌色変化画像および基準画像（表２：計１１通り）と、を個別に組み合わせて配置した２２通りの評価試験画像を用意した（図示せず）。そして、上記の５人の被験者に評価試験画像を目視させ、対比される二枚の画像において肌色が同じに見えるものを選択させた。これにより、髪色の色相を変化させた髪色色相＋１０または髪色色相−１０の画像において目視される肌色の見え方が、基準画像における肌色の見え方と同じであるか、または肌色の色相を変化させた肌色変化画像の肌色のいずれかと同等の見え方になるか、を調査した。
【００８０】
そして、彩度に関しても同様に、基準画像の髪色の彩度のみを＋７または−８に変化させた髪色変化画像（表１：２通り）と、同じく基準画像の顔の肌色の彩度のみを変化させた肌色変化画像および基準画像（表３：計１１通り）と、を個別に組み合わせて配置した２２通りの評価試験画像を用意した（図示せず）。そして、上記の５人の被験者に評価試験画像を目視させ、対比される二枚の画像において肌色が同じに見えるものを選択させた。これにより、髪色の彩度を変化させた髪色彩度＋７または髪色彩度−８の画像において目視される肌色の見え方が、基準画像における肌色の見え方と同じであるか、または肌色の彩度を変化させた肌色変化画像の肌色のいずれかと同等の見え方になるか、を調査した。
【００８１】
（４）評価結果
以下の表５に、髪色の色相、彩度、および、明度を変化させて上記官能評価実験を行った結果に基づいて、肌色の見え方変化の定量化の結果を示す。
【００８２】
【表５】
2013005989.tif 000007
【００８３】
上記表５の結果に基づいて、肌色の見え方の変化量（被験者５人の平均値）を、髪色変化量に対してプロットした結果を、図５、図６および図７に示す。なお、髪色を変化させない場合の肌色の見え方の変化量はゼロであるから、図５、図６および図７のグラフ図において、回帰線は原点を通る条件にて求めた。これらの結果より、髪色の変化（横軸：Ｘ）に対する肌色の見え方（縦軸：Ｙ）の変化は、色相と彩度は同化の関係（正の相関関係）にあり、反対に明度は対比の関係（負の相関関係）にあることが判明した。
【００８４】
以上の実験例１の結果に基づき、上記実施形態における肌色の見え方変化情報１１（図１、図２を参照）においては、色相または彩度に関しては、髪色の変化の方向と肌色の見え方の変化の方向とが正の相関関係をもって対応づけられている。そして、明度に関しては、髪色の変化の方向と肌色の見え方の変化の方向とが負の相関関係をもって対応づけられている。
【００８５】
このため、上記実施形態の染毛剤１０を用いることで、髪色変化に伴う視覚的効果によって変化する肌色の見え方を知得することができる。このため、元の肌色の見え方ではなく、変化後の肌色の見え方に基づいて髪色の似合いを判断することができるため、ユーザが希望する似合いの髪色を精度よく実現することができる。そして、ユーザは髪色を変化させることにより肌色の見え方を所望に変化させることができる。このため、化粧等によって肌色を実際に変化させることとあわせて、髪色の変化を活用して肌色の見え方を所望に変化させることが可能である。
【００８６】
そして、上述した図５から図７は、髪色（色相、彩度および明度）の変化量と、当該髪色の変化量に対応して変化する肌色（色相、彩度および明度）の見え方の変化量と、を表したグラフであり、これらは肌色の見え方変化情報１１の一例として用いられる。
【符号の説明】
【００８７】
１０    染毛剤（毛髪用品）
１１、１１ａ、１１ａ３、１１ｂ、１１ｃ、１１ｄ    肌色の見え方変化情報
１００ａ、１００ｂ、１００ｃ、１００ｄ    使用前使用後の変化情報
２０    毛髪用品群
【図１】
2013005989.tif 000008
【図２】
2013005989.tif 000009
【図３】
2013005989.tif 000010
【図４】
2013005989.tif 000011
【図５】
2013005989.tif 000012
【図６】
2013005989.tif 000013
【図７】
2013005989.tif 000014